(57)【特許請求の範囲】
【請求項１】
薬液が収容されるとともに、下端部に口部を有する容器本体と、
前記容器本体の口部を覆うとともに、水が流れる流水受け面上に載置される有底筒状の台座と、
上端開口部が前記容器本体の薬液の液面より上方に位置し、下端開口部が前記容器本体の外部に連通した状態で、前記容器本体の口部内に支持される外気導入管と、
前記外気導入管と前記口部との隙間に形成される薬液の流出路と、
前記台座内に配設され、前記流出路から流出する薬液が含浸される含浸体と、を備え、
前記含浸体には、前記台座から外部に突出して、前記流水受け面に近接又は当接する突出部が形成されていることを特徴とする薬液供給容器。
【請求項２】
請求項１に記載の薬液供給容器であって、
前記台座の周壁には、前記突出部を挿通させて外部に突出させる窓孔が形成されていることを特徴とする薬液供給容器。
【発明の詳細な説明】
【技術分野】
【０００１】
本発明は、薬液供給容器に関する。
【背景技術】
【０００２】
従来、例えば下記特許文献１、２に示されるような、トイレ用洗浄水タンクの手洗いボウル面（流水受け面）上に設置される、薬剤供給容器が知られている。薬剤供給容器は、例えば芳香剤や洗浄剤等の薬剤が収容される容器本体と、容器本体を支持するとともに、放水タップから放出された水が流れる流水受け面上に載置される台座と、を備えている。また、台座と流水受け面との間には、水が流れる隙間が設けられている。
【０００３】
放水タップから水が放出されると、この水が、容器本体上に直接かけられたり、流水受け面上において所定深さまで溜まったりすることで、容器本体内に浸入する。容器本体内に浸入した水は薬剤に接触し、この薬剤が水に溶け込んで水溶液となり、容器の外部に流出する。容器から流出した水溶液は、流水受け面の底部に開口する給水孔を通して、トイレ用洗浄水タンク内に流入する。
トイレ用洗浄水タンクに溜められた水溶液は、次回このトイレを使用した際に、便器等に流されて薬剤の効能が発揮されるようになっている。
【先行技術文献】
【特許文献】
【０００４】
【特許文献１】特開平８−１３４９８０号公報
【特許文献２】特開２００４−１２４４３３号公報
【発明の概要】
【発明が解決しようとする課題】
【０００５】
しかしながら、上記従来の薬剤供給容器では、気温や水温等の温度の変動により、水に溶かされる薬剤の量が変化していた。このため、薬剤が溶かされた水溶液の濃度が不安定になり、薬剤による効能を安定して得ることが難しかった。また、温度の変動により薬剤の使用量が変化するため、容器の使用期間にバラつきが生じていた。
【０００６】
本発明は、このような事情に鑑みてなされたものであって、気温や水温等の温度の変動に影響されることなく、常に一定量の薬液（薬剤）を流水中に供給することができ、これにより薬液の水溶液の濃度が一定となって、薬液による効能を安定化させることができ、かつ、薬液の使用量が安定して、容器の使用期間のバラつきを抑えることができ、取り扱い性を向上できる薬液供給容器を提供することを目的としている。
【課題を解決するための手段】
【０００７】
前記課題を解決するために、本発明は以下の手段を提案している。
すなわち、本発明の薬液供給容器は、薬液が収容されるとともに、下端部に口部を有する容器本体と、前記容器本体の口部を覆うとともに、水が流れる流水受け面上に載置される有底筒状の台座と、上端開口部が前記容器本体の薬液の液面より上方に位置し、下端開口部が前記容器本体の外部に連通した状態で、前記容器本体の口部内に支持される外気導入管と、前記外気導入管と前記口部との隙間に形成される薬液の流出路と、前記台座内に配設され、前記流出路から流出する薬液が含浸される含浸体と、を備え、前記含浸体には、前記台座から外部に突出して、前記流水受け面に近接又は当接する突出部が形成されていることを特徴とする。
【０００８】
本発明の薬液供給容器では、容器本体内に収容される例えば芳香剤や洗浄剤等の薬液（薬剤）が、容器本体の口部と外気導入管との隙間の流出路を通って流出し、含浸体に吸収される。また、容器本体から流出した薬液の容量に応じて、外気導入管の内部を通して外気が容器本体内に流入する。つまり、外気導入管内を通して容器本体内に外気が安定して導入されるため、容器本体から含浸体に流出する薬液と外気との置換が良好に行われて、含浸体が安定して薬液に浸されるようになっている。
なお、この含浸体としては、例えば多孔質状の焼結体、不織布、布、紙等を用いることができる。具体的に、含浸体には、薬液の毛細管現象が得られる材料が適している。
【０００９】
そして、この含浸体は台座から外部に突出する突出部を有しており、突出部は、流水受け面上に接近配置され又は当接している。従って、流水受け面上を水が流れると、含浸体の突出部が流水中に浸たされて、この突出部から薬液が流水中に流れ出し、一定量ずつ安定して供給されるようになっている。
【００１０】
つまり本発明によれば、気温や水温等の温度の変動に係わらず、常に一定量の薬液を流水中に供給することができる。従って、薬液が含まれる水溶液の濃度が一定となり、薬液による効能を安定化させることができる。また、薬液の使用量が安定するため、この薬液供給容器の使用期間のバラつきを抑えることができ、取り扱い性が向上する。
【００１１】
また、本発明の薬液供給容器において、前記台座の周壁には、前記突出部を挿通させて外部に突出させる窓孔が形成されていることが好ましい。
【００１２】
この場合、有底筒状をなす台座の底壁ではなく周壁に、含浸体の突出部が挿通される窓孔が形成されているので、容器内部に水が逆流するようなことが防止される。つまり、突出部を突出させる窓孔が周壁に形成されているので、この窓孔の高さを適宜設定することによって、台座内に水が浸入することを防止できる。具体的には、例えば、流水受け面上において水が所定深さまで溜まる場合に、この所定深さ以上の高さとなるように、窓孔を配置すればよい。
【００１３】
これにより、台座内の含浸体に含浸される薬液（原液）の濃度が、逆流した水によって薄まってしまうようなことが確実に抑えられ、薬液が溶かされる水溶液の濃度が一定となって、上述した作用効果がより格別顕著なものとなる。
【発明の効果】
【００１４】
本発明の薬液供給容器によれば、気温や水温等の温度の変動に影響されることなく、常に一定量の薬液（薬剤）を流水中に供給することができ、これにより薬液の水溶液の濃度が一定となって、薬液による効能を安定化させることができ、かつ、薬液の使用量が安定して、容器の使用期間のバラつきを抑えることができ、取り扱い性が向上する。
【図面の簡単な説明】
【００１５】
【図１】本発明の一実施形態に係る薬液供給容器を示す半断面図（半縦断面図）である。
【図２】図１の薬液供給容器の要部を拡大して示す図である。
【図３】薬液供給容器の台座及び含浸体を示す（ａ）上面図、（ｂ）半断面図（半縦断面図）である。
【図４】薬液供給容器の台座を示す（ａ）上面図、（ｂ）半断面図（半縦断面図）である。
【図５】薬液供給容器の含浸体を示す（ａ）上面図、（ｂ）半断面図（半縦断面図）である。
【図６】含浸体を展開した状態を示す（ａ）上面図、（ｂ）側面図である。
【発明を実施するための形態】
【００１６】
以下、本発明の一実施形態に係る薬液供給容器１について、図面を参照して説明する。
図１に示されるように、本実施形態の薬液供給容器１は、トイレ用洗浄水タンクの手洗いボウル面（流水受け面）１００上に設置して使用される。
【００１７】
薬液供給容器１は、例えば芳香剤や洗浄剤等の薬液（液状の薬剤）Ｌが収容される容器本体２と、容器本体２を支持する台座３と、容器本体２の口部２ａ内に支持されて容器本体２内に延びる外気導入管４と、台座３内に配設されて薬液Ｌが含浸される含浸体６と、容器本体２を覆うカバー２０と、を備えている。
容器本体２は有頂筒状をなし、台座３は有底筒状をなし、外気導入管４は筒状をなし、カバー２０は有頂筒状をなしている。
【００１８】
図１において、容器本体２、台座３、外気導入管４及びカバー２０は、それぞれの中心軸線が共通軸上に配置されている。本明細書では、この共通軸を容器軸Ｏといい、容器軸Ｏに沿う方向を上下方向という。また上下方向のうち、容器本体２の頂壁７から台座３側へ向かう方向を下方といい、台座３から容器本体２の頂壁７側へ向かう方向を上方という。また、上下方向から見た平面視で、容器軸Ｏに直交する方向を径方向といい、容器軸Ｏ回りに周回する方向を周方向という。
【００１９】
容器本体２は、球体筒状の本体部２ｂと、本体部２ｂよりも小径とされ、該本体部２ｂの下方に設けられる筒状の口部２ａと、を有する。口部２ａは、容器本体２の下端部に配置される。
容器本体２内に収容される薬液Ｌの液面と、本体部２ｂの頂壁７との間には、空間（空気が収容されるスペース。以下、上部空間ということがある）が設けられている。
【００２０】
図１及び図２に示されるように、容器本体２の口部２ａは、本体部２ｂの下端開口部に垂下設される上方筒部８と、上方筒部８の下方に連なり該上方筒部８よりも小径とされた下方筒部９と、下方筒部９に装着される外気導入管支持筒１１と、を有する。
【００２１】
上方筒部８は、有底筒状をなしており、周壁と底壁とを有する。
上方筒部８の周壁の上端部は、本体部２ｂの下端部に接続される。上方筒部８の底壁は、上方筒部８の周壁の下端部から径方向内側へ向けて突出するとともに周方向に沿って延びる円形リング板状をなしている。図１及び図２に示される縦断面視において、上方筒部８の底壁は、上方筒部８の周壁の下端部から径方向内側へ向かうに従い漸次下方へ向けて傾斜しており、テーパ状をなしている。
図２において、下方筒部９は、上方筒部８の底壁の内周縁部に垂下設されている。下方筒部９の外周面には、径方向外側へ向けて突出する係止突起１０が形成されている。
【００２２】
外気導入管支持筒１１は、下方筒部９に取り付けられている。外気導入管支持筒１１は、３重筒状をなしており、外筒部１１ａと、内筒部１１ｂと、外筒部１１ａと内筒部１１ｂの間に介装される中筒部１１ｃと、を有する。また、外気導入管支持筒１１は、外筒部１１ａの下端部と中筒部１１ｃの下端部とを接続する円形リング板状のフランジ１１ｄと、中筒部１１ｃの上端部と内筒部１１ｂの上端部とを接続する円形リング板状のフランジ１１ｅと、を有する。
【００２３】
外筒部１１ａは、下方筒部９の径方向外側に嵌合している。外筒部１１ａの内周面には、径方向内側へ向けて突出する係止突起１２が形成されている。外筒部１１ａの係止突起１２は、下方筒部９の係止突起１０に対して、その上方から係止されている。これにより、下方筒部９に対する外気導入管支持筒１１の下方移動が規制されている。
【００２４】
中筒部１１ｃは、下方筒部９の径方向内側に嵌合している。つまり下方筒部９は、外筒部１１ａと中筒部１１ｃとにより、径方向の両側から挟持されている。
フランジ１１ｄの上面には、下方筒部９の下端開口部が当接している。図示の例では、フランジ１１ｄの上面に、上方に向けて突出するとともに周方向に沿って延びる環状のシール用リブが、径方向に間隔をあけて複数設けられており、これらシール用リブが、下方筒部９の下端面（下端開口部の端面）に密着している。
【００２５】
フランジ１１ｅは、その上下方向の位置が、上方筒部８の底壁の上下方向の位置と略同一となっている。
内筒部１１ｂは、有底筒状をなしており、周壁と底壁とを有する。
内筒部１１ｂの周壁のうち、上端部は、フランジ１１ｅとの接続部分（フランジ１１ｅの内周縁部）から下方に向かうに従い漸次縮径している。内筒部１１ｂの底壁の径方向中央（容器軸Ｏ上）には、この底壁を上下方向に貫通して貫通孔１３が形成されている。
【００２６】
内筒部１１ｂの周壁のうち、上端部以外の部位には、該周壁の径方向内側に外気導入管４の下端部が嵌合している。内筒部１１ｂの底壁の上面には、外気導入管４の下端面が当接している。図示の例では、内筒部１１ｂの貫通孔１３の内径が、外気導入管４の内径と略同一とされている。
【００２７】
内筒部１１ｂの周壁の内周面には、径方向外側へ向けて窪むとともに上下方向に延びる縦溝１４が形成されている。縦溝１４は、内筒部１１ｂの周壁において周方向に間隔をあけて複数形成されている。
内筒部１１ｂの底壁の上面には、下方へ向けて窪むとともに径方向に延びる横溝１５が形成されている。横溝１５は、内筒部１１ｂの底壁において周方向に間隔をあけて複数形成されている。
【００２８】
内筒部１１ｂにおいて、周方向位置が対応する（周方向位置が同一とされた）縦溝１４と横溝１５とは、互いに連通している。このように連通させられた縦溝１４と横溝１５とにより、外気導入管４と口部２ａとの隙間に、薬液Ｌの流出路５が形成されている。
容器本体２内の薬液Ｌは、流出路５及び貫通孔１３を通して、台座３の底壁上に配設される含浸体６に向けて流出可能である。
【００２９】
本実施形態の例では、外気導入管支持筒１１を下方筒部９に装着する前の状態において、口径の大きい下方筒部９から、容器本体２内に薬液Ｌを注入可能である。なお、容器本体２内に薬液Ｌを注入する際には、容器本体２を倒立姿勢（図１に示される正立姿勢（容器使用時の姿勢）とは上下方向が反転した姿勢）にする。
なお、特に図示していないが、この薬液供給容器１の使用前には、外気導入管支持筒１１の内筒部１１ｂの底壁の下面に、貫通孔１３を塞ぐシール膜が貼着されている。容器使用時に、このシール膜を内筒部１１ｂの底壁から剥がして取り除くことにより、流出路５から流れ出す薬液Ｌが、貫通孔１３を通して含浸体６へ流れるようになっている。
【００３０】
図１において、外気導入管４は、上下方向に長い筒状をなしている。外気導入管４は、その下端部が、容器本体２の口部２ａ内に挿通されているとともに、該口部２ａの外気導入管支持筒１１に支持されている。
外気導入管４の上端開口部は、容器本体２の薬液Ｌの液面より上方に位置しているとともに、容器本体２内の上部空間に開口している。外気導入管４の下端開口部は、外気導入管支持筒１１の貫通孔１３を通して、容器本体２の外部に連通する。
【００３１】
台座３は、容器本体２の口部２ａをその下方から覆うとともに、図示しない放水タップから放出された水が流れる流水受け面１００上に載置される。図１〜図４に示されるように、台座３は、有底筒状をなしており、周壁１８と底壁１９とを有する。また、台座３は、周壁１８の径方向外側に配置されて底壁１９の外周縁部から立設されるカバー支持筒１７を有する。
【００３２】
図１及び図２において、台座３の周壁１８のうち、上端部は、容器本体２の口部２ａの上方筒部８に対して、その径方向外側に嵌合している。図４（ａ）（ｂ）に示されるように、台座３の周壁１８には、該周壁１８の上端開口部に開口するとともに下方へ向けて切り欠かれるように、窓孔１６が形成されている。窓孔１６は、台座３の周壁１８において周方向に間隔をあけて複数形成されている。図３（ａ）（ｂ）に示されるように、窓孔１６には、後述する含浸体６の突出部６ｂが挿通され、この突出部６ｂは、容器外部に突出させられる。
【００３３】
図３及び図４において、台座３の底壁１９の外径は、台座３の周壁１８の外径よりも大きくなっている。台座３の底壁１９の外周縁部には、カバー支持筒１７が立設されている。カバー支持筒１７は、台座３の周壁１８よりも大径に形成される。また図示の例では、カバー支持筒１７の上端開口部の位置（つまり底壁１９から立ち上がる高さ）が、周壁１８の上端開口部の位置よりも低くなっている。カバー支持筒１７の外周面には、径方向外側へ向けて突出するとともに周方向に沿って延びるカバー突き当て突起１７ａが形成されている。
【００３４】
図１〜図３において、台座３の底壁１９のうち、台座３の周壁１８よりも径方向内側に位置する部分には、含浸体６が載置される。またこの部分には、薬液Ｌを貯留可能である。図２において、台座３の底壁１９のうち、台座３の周壁１８よりも径方向内側に位置する部分に溜められた薬液Ｌの液面は、外気導入管支持筒１１の内筒部１１ｂの底壁の下面と、上下方向の位置が略一致している。
【００３５】
図３及び図４において、台座３の底壁１９のうち、台座３の周壁１８よりも径方向外側に位置する部分には、該底壁１９を上下方向に貫通して、突出部挿通孔３ａが形成されている。図示の例では、突出部挿通孔３ａは、矩形孔状をなしている。突出部挿通孔３ａは、台座３の底壁１９において周方向に間隔をあけて複数形成されている。突出部挿通孔３ａは、台座３の周壁１８に設けられた複数の窓孔１６の周方向位置に対応して配置される。
【００３６】
図１〜図４において、台座３の底壁１９の下面には、この台座３を流水受け面１００上に支持する支持脚３ｂと、流水受け面１００の底部に開口する給水孔１０１内に挿通される挿通突起３ｃと、台座３の下方を流れる水をガイドする流水ガイド３ｄと、が形成される。
【００３７】
支持脚３ｂは、台座３の底壁１９から下方へ向けて突出しており、台座３の底壁１９において周方向に間隔をあけて複数形成されている。支持脚３ｂの高さ（上下方向の長さ）は、流水受け面１００と台座３の底壁１９との間の距離が所期する値となるように設定される。支持脚３ｂにより、台座３の底壁１９と流水受け面１００との間に、水が流れる隙間が形成される。
【００３８】
挿通突起３ｃは、台座３の底壁１９の径方向中央付近（容器軸Ｏ近傍）から下方へ向けて突出しており、台座３の底壁１９において周方向に間隔をあけて複数形成されている。挿通突起３ｃは、流水受け面１００の給水孔１０１に対して、薬液供給容器１が径方向に大きく移動するようなことを防止する。
流水ガイド３ｄは、径方向に延びるガイド板と、この流水ガイド３ｄにおける径方向内側の端部に位置して周方向に延びる堰き止め板と、を有する。図示の例では、ガイド板の高さ（底壁１９から下方へ向けて突出する上下方向の長さ）が、径方向内側へ向かうに従い漸次高くされている。また、ガイド板の下端と流水受け面１００との間の距離は、径方向に沿って略一定とされている。
【００３９】
含浸体６は、例えば多孔質状の焼結体、不織布、布、紙等により形成され、この含浸体６には、流出路５から流出する薬液Ｌが含浸される。具体的に、含浸体６としては、薬液Ｌの毛細管現象が得られる材料が適している。
含浸体６が、変形不能な焼結体等からなる場合には、図５（ａ）（ｂ）に示されるような形状に作製されて、台座３に配設される。また、含浸体６が、変形可能な不織布、布、紙等からなる場合には、図６（ａ）（ｂ）に示されるような展開形状（平板を切り抜いた形状）に作製された後、後述の本体部６ａから延びる突出部６ｂが適宜変形させられることにより、図５（ａ）（ｂ）に示されるような形状に成形されて、台座３に配設される。本実施形態では、突出部６ｂが変形可能とされた含浸体６を用いて説明する。
【００４０】
図６に示されるように、含浸体６は、円形板状をなす本体部６ａと、該本体部６ａの外周縁部から径方向外側へ向けて延びる矩形板状をなす突出部６ｂと、を有する。
【００４１】
図１〜図３に示されるように、含浸体６を台座３に配設した状態で、本体部６ａは、容器本体２の口部２ａの下方に位置しており、台座３の底壁１９上における台座３の周壁１８よりも径方向内側に配設される。本体部６ａの上方には、容器本体２内の薬液Ｌが流れ出る流出路５及び貫通孔１３が配置される。
【００４２】
図３、図５及び図６において、突出部６ｂは、本体部６ａの外周縁部に、周方向に間隔をあけて複数突設されている。突出部６ｂは、本体部６ａの外周縁部において、台座３の周壁１８に設けられた複数の窓孔１６の周方向位置に対応して配置される。含浸体６が台座３に配設されたときに、突出部６ｂは、窓孔１６及び突出部挿通孔３ａを通して、台座３から容器外部に突出させられる。
【００４３】
図１〜図３及び図５に示される縦断面視において、突出部６ｂは、逆Ｕ字状又は逆Ｖ字状をなしており、本体部６ａの外周縁部から上方へ向けて延びた後、窓孔１６内を通って下方へ向けて折り返され、台座３の底壁１９の突出部挿通孔３ａ内を通って台座３から容器外部に突出させられる。突出部６ｂにおいて容器外部に突出させられた下端は、流水受け面１００に近接又は当接している。
この含浸体６において、本体部６ａに薬液Ｌが含浸されると、薬液Ｌは毛細管現象により突出部６ｂにも含浸されていき、窓孔１６及び突出部挿通孔３ａを通って、容器外部にまで到達するようになっている（図２の縦断面視において突出部６ｂの延在方向に沿って記載された、薬液Ｌの流れを表す矢印を参照）。
【００４４】
突出部６ｂにおいて、窓孔１６に挿通される部分は、該窓孔１６の内縁に係止されることが好ましい。また、突出部６ｂにおいて、突出部挿通孔３ａに挿通される部分は、該突出部挿通孔３ａの内縁に係止されることが好ましい。このような係止手段としては、例えば、窓孔１６の内縁や突出部挿通孔３ａの内縁に突起を設けたり、突出部６ｂに切り欠きを設ける等が挙げられる。
【００４５】
具体的に本実施形態では、図３及び図４に示されるように、窓孔１６の内縁のうち、周方向の両端に位置する一対の側壁の下端部に、突起２１がそれぞれ形成されている。突起２１は、窓孔１６に挿通された突出部６ｂに、その上方から当接して係止されるようになっており、突出部６ｂの浮き上がりを防止する。
【００４６】
また、図５及び図６に示されるように、突出部６ｂの先端部（本体部６ａとは反対側の端部）における周方向の両端部（突出部６ｂの幅方向の両端部）には、矩形状の切り欠き２２がそれぞれ形成されている。図３に示されるように、含浸体６の突出部６ｂが、台座３の突出部挿通孔３ａに挿通されたときに、該突出部６ｂの切り欠き２２は、突出部挿通孔３ａの内縁のうち、周方向の両端に位置する一対の側壁に係止される。突出部６ｂの切り欠き２２が、突出部挿通孔３ａの内縁に係止されることにより、突出部６ｂが台座３の底壁１９の下方へ向けて突出する突出量が、所期する値に精度よく設定される。また、突出部６ｂが突出部挿通孔３ａから抜け出すことが防止される。
【００４７】
図１において、カバー２０は、有頂筒状をなしており、頂壁が半球状とされ、周壁が筒状とされている。カバー２０は、容器本体２及び台座３の周壁１８を覆っている。カバー２０の周壁の下端部は、台座３のカバー支持筒１７の径方向外側に嵌合している。カバー２０の周壁の下端開口部は、カバー支持筒１７のカバー突き当て突起１７ａに対して、その上方から突き当てられている。
【００４８】
以上説明した本実施形態の薬液供給容器１では、容器本体２内に収容される薬液（薬剤）Ｌが、容器本体２の口部２ａと外気導入管４との隙間の流出路５、及び貫通孔１３を通って流出し、含浸体６に吸収される。また、容器本体２から流出した薬液Ｌの容量に応じて、外気導入管４の内部を通して外気が容器本体２内に流入する。つまり、外気導入管４内を通して容器本体２内（の上部空間）に外気が安定して導入されるため、容器本体２から含浸体６に流出する薬液Ｌと外気との置換が良好に行われて、含浸体６が安定して薬液Ｌに浸されるようになっている。
【００４９】
そして、この含浸体６は台座３から外部に突出する突出部６ｂを有しており、突出部６ｂは、流水受け面１００上に接近配置され又は当接している。従って、流水受け面１００上を水が流れると、含浸体６の突出部６ｂが流水中に浸たされて、この突出部６ｂから薬液Ｌが流水中に流れ出し、一定量ずつ安定して供給されるようになっている。
【００５０】
つまり本実施形態によれば、気温や水温等の温度の変動に係わらず、常に一定量の薬液Ｌを流水中に供給することができる。従って、薬液Ｌが含まれる水溶液の濃度が一定となり、薬液Ｌによる効能を安定化させることができる。また、薬液Ｌの使用量が安定するため、この薬液供給容器１の使用期間のバラつきを抑えることができ、取り扱い性が向上する。
【００５１】
また本実施形態では、台座３の周壁１８に、含浸体６の突出部６ｂを挿通させて容器外部に突出させる窓孔１６が形成されているので、下記の作用効果を奏する。
すなわちこの場合、有底筒状をなす台座３の底壁１９ではなく周壁１８に、突出部６ｂが挿通される窓孔１６が形成されているので、容器内部に水が逆流するようなことが防止される。つまり、突出部６ｂを突出させる窓孔１６が周壁１８に形成されているので、この窓孔１６の高さ（上下方向の位置）を適宜設定することによって、台座３内（特に含浸体６の本体部６ａが配置される周壁１８の径方向内側の部分）に水が浸入することを防止できる。具体的には、例えば、流水受け面１００上において水が所定深さまで溜まる場合に、この所定深さ以上の高さとなるように、窓孔１６を配置すればよい。
【００５２】
これにより、台座３内の含浸体６に含浸される薬液（原液）Ｌの濃度が、逆流した水によって薄まってしまうようなことが確実に抑えられ、薬液Ｌが溶かされる水溶液の濃度が一定となって、上述した作用効果がより格別顕著なものとなる。
【００５３】
また本実施形態では、容器本体２及び台座３の周壁１８を覆う有頂筒状のカバー２０が設けられているので、このカバー２０によっても、含浸体６に含浸される薬液Ｌの濃度が水によって薄まってしまうようなことを確実に抑えて、上述した作用効果がより顕著なものとなる。
【００５４】
なお、本発明は前述の実施の形態に限定されるものではなく、本発明の趣旨を逸脱しない範囲において種々の変更を加えることが可能である。
【００５５】
例えば、前述の実施形態では、容器本体２の口部２ａにおいて、外気導入管支持筒１１が下方筒部９に取り付けられているとしたが、これに限定されるものではなく、外気導入管支持筒１１を下方筒部９に一体に形成してもよい。
また、前述の実施形態では、突出部６ｂが変形可能とされた含浸体６を用いて説明したが、これに限定されるものではなく、突出部６ｂが変形不能であってもよい。この場合、窓孔１６の内縁の突起２１や、突出部６ｂの切り欠き２２が、設けられていなくてもよい。
【００５６】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００５７】
１  薬液供給容器
２  容器本体
２ａ  口部
３  台座
４  外気導入管
５  流出路
６  含浸体
６ｂ  突出部
１６  窓孔
１８  台座の周壁
１００  流水受け面
Ｌ  薬液
【図１】
0006435236.tif 000002
【図２】
0006435236.tif 000003
【図３】
0006435236.tif 000004
【図４】
0006435236.tif 000005
【図５】
0006435236.tif 000006
【図６】
0006435236.tif 000007